(57)【要約】【課題】主としてズボン等、筒状部を有する洗濯物を良好に干すことができる洗濯バサミを提供する。【解決手段】摘み部１１と挟み部１２とを有する第１挟み体１０と、摘み部２１と挟み部２２とを有し、摘み部２１と挟み部２２との間で第１挟み体１０に対して回動可能に連結３０された第２挟み体２０と、第１挟み体１０と第２挟み体２０の挟み部１２，２２同士を挟み方向に付勢する付勢部材４０とを備え、第１挟み体１０の挟み部１２は、使用時の平面視で円弧状に構成され、円弧の中心部１２ａは、第２挟み体２０側から見て第１挟み体１０側に位置する。平面視で、円弧状の挟み部１２の両端部分１２ｂには、円弧状挟み部１２の外側に、上下方向に延びるクリップ部１３が設けられている。【選択図】図１
2020014596.tif 000002
【特許請求の範囲】
【請求項１】
摘み部（１１）と挟み部（１２）とを有する第１挟み体（１０）と、
摘み部（２１）と挟み部（２２）とを有し、摘み部（２１）と挟み部（２２）との間で前記第１挟み体（１０）に対して回動可能に連結された第２挟み体（２０）と、
前記第１挟み体（１０）と第２挟み体（２０）の前記挟み部（１２，２２）同士を挟み方向に付勢する付勢部材（４０）と、
を備えた洗濯バサミであって、
前記第１挟み体（１０）の挟み部（１２）は、使用時の平面視で円弧状に構成され、当該円弧の中心部（１２ａ）は、前記第２挟み体（２０）側から見て前記第１挟み体（１０）側に位置することを特徴とする洗濯バサミ。
【請求項２】
請求項１において、
平面視で、前記円弧状の挟み部（１２）の両端部分（１２ｂ）には、円弧状挟み部（１２）の外側に、上下方向に延びるクリップ部（１３）が設けられていることを特徴とする洗濯バサミ。
【発明の詳細な説明】
【技術分野】
【０００１】
本発明は、洗濯バサミに関するものである。主として、ズボンやスカートを干すのに適した洗濯バサミに関するものである。
【背景技術】
【０００２】
従来、例えば特許文献１に見られるように、支持体（１）に複数個のピンチ吊り（２）が引掛けられ、各ピンチ吊り（２）には所定間隔をおいて一対のピンチ（３）が吊り下げられてなるズボン等の干し具が知られている。
【０００３】
この干し具によれば、各ピンチ（洗濯バサミ）（３）でズボン（４）等の腰回りの縁部を挟みつけることにより、ズボン等筒状の洗濯物を筒状のままで干すことができ、早く乾かすことができる。
【０００４】
しかし、この干し具は、従来公知の洗濯バサミ（３）でズボン等の腰回りの縁部を挟んで吊す構成であるため、ズボン等の腰回り部分に弛みができやすい。
そのため、ズボン等の腰回り部分で形成される空洞部分か小さくなりやすく、その分、乾燥しにくくなる。
【先行技術文献】
【特許文献】
【０００５】
【特許文献１】特開２０００−１４９９３号公報
【発明の概要】
【発明が解決しようとする課題】
【０００６】
本発明が解決しようとする課題は、主としてズボン等、筒状部を有する洗濯物を良好に干すことができる洗濯バサミを提供することである。
【課題を解決するための手段】
【０００７】
上記課題を解決するために本発明の洗濯バサミは、
摘み部と挟み部とを有する第１挟み体と、
摘み部と挟み部とを有し、摘み部と挟み部との間で前記第１挟み体に対して回動可能に連結された第２挟み体と、
前記第１挟み体と第２挟み体の前記挟み部同士を挟み方向に付勢する付勢部材と、
を備えた洗濯バサミであって、
前記第１挟み体の挟み部は、使用時の平面視で円弧状に構成され、当該円弧の中心部は、前記第２挟み体側から見て前記第１挟み体側に位置することを特徴とする。
【０００８】
この洗濯バサミによれば、第１挟み体の挟み部が、使用時の平面視で円弧状に構成され、当該円弧の中心部は、前記第２挟み体側から見て前記第１挟み体側に位置するので、筒状部を有する洗濯物のその筒状部の内側に第１挟み体の挟み部を位置させ、第１挟み体の挟み部と第２挟み体の挟み部とで洗濯物の筒状部を挟むことで、第１挟み体の円弧状の挟み部の外側に、洗濯物の筒状部を沿わせるようにして保持することが可能となる。
したがって、例えば、この洗濯バサミを一対用いて、洗濯物を吊すと、洗濯物の筒状部で形成される空洞部分を大きくしやすくなり、その分、早く乾燥させることが可能となる。
【０００９】
この洗濯バサミにおいては、
平面視で、前記円弧状の挟み部の両端部分には、円弧状挟み部の外側に、上下方向に延びるクリップ部が設けられている構成とすることができる。
【００１０】
このように構成すると、円弧状の挟み部の両端部分においてクリップ部で洗濯物の筒状部を挟むことで、洗濯物の筒状部を円筒状挟み部にさらに良好に沿わせることができるため、洗濯物をさらに早く乾燥させることができる。
【図面の簡単な説明】
【００１１】
【図１】本発明に係る洗濯バサミの実施の形態を示す斜視図。
【図２】異なる方向から見た斜視図。
【図３】使用状態参考斜視図。
【図４】使用状態参考斜視図。
【発明を実施するための形態】
【００１２】
以下、本発明に係る洗濯バサミの実施の形態について図面を参照して説明する。なお、各図において、同一部分ないし相当する部分には、同一の符号を付してある。
【００１３】
図１，図２に示すように、この実施の形態の洗濯バサミ１は、
摘み部１１と挟み部１２とを有する第１挟み体１０と、
摘み部２１と挟み部２２とを有し、摘み部２１と挟み部２２との間で前記第１挟み体１０に対して回動可能に連結（３０）された第２挟み体２０と、
前記第１挟み体１０と第２挟み体２０の前記挟み部１２，２２同士を挟み方向に付勢する付勢部材４０とを備えている。
【００１４】
そして、第１挟み体１０の挟み部１２は、使用時（図４参照）の平面視で円弧状に構成され、当該円弧の中心部１２ａ（図１）は、第２挟み体２０側から見て第１挟み体１０側に位置する。
【００１５】
この洗濯バサミ１によれば、第１挟み体１０の挟み部１２が、使用時の平面視で円弧状に構成され、当該円弧の中心部１２ａは、第２挟み体２０側から見て第１挟み体１０側に位置するので、例えば図４に示すように、筒状部９１を有する洗濯物（図示のものはズボン）９０のその筒状部９１の内側に第１挟み体１０の挟み部１２を位置させ、第１挟み体１０の挟み部１２と第２挟み体２０の挟み部２２とで洗濯物９０の筒状部９１を挟むことで、第１挟み体１０の円弧状の挟み部１２の外側に、洗濯物９０の筒状部９１を沿わせるようにして保持することが可能となる。
【００１６】
したがって、例えば図３，図４に示すように、この洗濯バサミ１を一対用いて、洗濯物９０を吊すと、洗濯物９０の筒状部９１で形成される空洞部分９２を大きくしやすくなり、その分、早く乾燥させることが可能となる。
【００１７】
例えば図１に示すように、平面視で、円弧状の挟み部１２の両端部分１２ｂ、１２ｂには、円弧状挟み部１２の外側に、上下方向に延びるクリップ部１３が設けられている。
【００１８】
このように構成すると、例えば図４に示すように、円弧状の挟み部１２の両端部分１２ｂ、１２ｂにおいてクリップ部１３で洗濯物９０の筒状部９１を挟む（円筒状挟み部１２とクリップ部１３との間に下方から筒状部９１を差し込む）ことで、洗濯物９０の筒状部９１を円筒状挟み部１２にさらに良好に沿わせることができるため、洗濯物９０をさらに早く乾燥させることができる。
【００１９】
この実施の形態の洗濯バサミ１の各構成部材は、それぞれ適宜の材料で構成することができる。例えば、第１挟み体１０、第２挟み体２０は、合成樹脂や金属で構成することができる。
【００２０】
第１挟み体１０と第２挟み体２０とを相互に回動可能に連結する連結部３０は公知の構成を採用することができ、例えば軸３１（図２参照）で構成することができる。
【００２１】
挟み部１２，２２同士を挟み方向に付勢する付勢部材４０は、公知の板バネや捩りバネで構成することができる。
【００２２】
挟み部１２の平面視での円弧形状は適宜の形状を採用できる。図示のもののように、略半円弧形状とすることもできるし、半楕円弧形状とすることもできる。また、円弧の曲率半径Ｒ（図１参照）も洗濯物の筒状部の大きさに応じて適宜設定でき、例えば、２ｃｍ程度〜１０ｃｍ程度とすることができる。
【００２３】
この洗濯バサミ１の第１挟み体１０の挟み部１２と第２挟み体２０の挟み部２２とで洗濯物を挟む際には、通常の洗濯バサミ同様、摘み部１１，２１を摘まんで開閉操作することで挟むことができる。
【００２４】
この洗濯バサミ１を吊す手段は適宜の手段を採用することができ、例えば、図示のように、第１挟み体の摘み部１１に吊りリング２を設け、チェーン３を介してフック４で物干し竿５等（図４）に吊すようにすることもできるし、例えば上記特許文献１におけるピンチ吊り（２）またはピンチ（３）に代えて、本実施の形態の洗濯バサミ１を取り付けることもできる。
【００２５】
クリップ部１３は、円弧状挟み部１２と一体に形成されるバネ性を有する弾性片で構成することができる。
【００２６】
また、クリップ部１３に代えて、円弧状の挟み部１２の両端部分１２ｂ、１２ｂにも、挟み部１２の中央に設けたピンチ構造、すなわち、第１摘み部１１，第２挟み体２０，連結部３０，および付勢部材４０を有するピンチ構造を設けることもできる。
【００２７】
以上、本発明の実施の形態について説明したが、本発明は上記の実施の形態に限定されるものではなく、本発明の要旨の範囲内において適宜変形実施可能である。
【符号の説明】
【００２８】
１：    洗濯バサミ
１０：    第１挟み体
１１：    摘み部
１２：    挟み部
１２ａ：  中心部
１２ｂ：  両端部分
１３：    クリップ部
２０：    第２挟み体
２１：    摘み部
２２：    挟み部
３０：    連結部
４０：    付勢部材
【図１】
2020014596.tif 000003
【図２】
2020014596.tif 000004
【図３】
2020014596.tif 000005
【図４】
2020014596.tif 000006